(57)【要約】【課題】少なくとも一方向の外力によって開放されることのないクロージャカバーを提供する。【解決手段】係止具１２１及び１２２は、ともにカバー本体１１１に設置されたベロ状のフックと本体１１１上に立設された係止片とで構成されている。係止具１２１は、フック１２１ａが一方の接合辺１２０ａに設置され、係止片１２１ｂが他方の接合辺１２０ｂに設置されている（第１の係止具）。これに対し係止具１２２は、係止片１２２ｂが一方の接合辺１２０ａに設置され、フック１２２ａが他方の接合辺１２０ｂに設置されており（第２の係止具）、本実施形態では係止具１２１と係止具１２２とが逆向きに設置されている。【選択図】図１
2008185632.tif 000002
【特許請求の範囲】
【請求項１】
光ファイバケーブルを外部から導入するための導入孔を有する端面板を少なくとも備えた内部ユニットを覆い光ファイバケーブル用クロージャを構成するクロージャカバーにおいて、前記クロージャカバーは、本体と２以上の係止具とで構成されており、前記本体の対向する２つの接合辺を前記２以上の係止具で接合することで前記クロージャの内部を密閉し、前記２以上の係止具は、開放方式が異なる第１の係止具と第２の係止具とで構成されている
ことを特徴とするクロージャカバー。
【請求項２】
前記第１の係止具と前記第２の係止具は、同じ構造の係止具をそれぞれ別の対向する２つの接合辺に設ける
ことを特徴とする請求項１に記載のクロージャカバー。
【請求項３】
前記第１の係止具と前記第２の係止具はともに、前記対向する２つの接合辺の一方に設置されたベロ状のフックと他方に立設された係止片とで構成され、前記第１の係止具として前記フックを前記本体側に押し下げることで前記フックが前記係止片に形成された挿通孔から開放可能となる下方開放型係止具を用い、
前記第２の係止具として前記フックを前記本体側とは逆向きに引き上げることで前記係止片が前記フックに形成された挿通孔から開放可能となる上方開放型係止具を用いている
ことを特徴とする請求項１に記載のクロージャカバー。
【請求項４】
前記第１の係止具は、前記対向する２つの接合辺の一方に設置されたベロ状のフックと他方に立設された係止片とで構成され、前記第１の係止具として前記フックを前記本体側に押し下げることで前記フックが前記挿通孔から開放可能となる下方開放型係止具を用い、
前記接合部の少なくとも両端部には、前記下方開放型係止具を用いている
ことを特徴とする請求項１から請求項３のいずれか１項に記載のクロージャカバー。
【請求項５】
前記本体が２以上あって前記本体の対向する２つの接合辺を前記２以上の係止具で接合する接合部が２箇所以上形成されており、
前記本体の少なくとも一方は、前記光ファイバケーブルの導入方向と垂直な方向を前記本体の縦方向としたとき、縦方向に屈曲可能である
ことを特徴とする請求項１から請求項４のいずれか１項に記載のクロージャカバー。
【発明の詳細な説明】
【技術分野】
【０００１】
本発明は、ケーブルを接続して保護するクロージャのクロージャカバーに関するものである。
【背景技術】
【０００２】
従来より、光ファイバケーブルの接続には光ファイバケーブル用クロージャが用いられている。光ファイバケーブル用クロージャは、少なくとも両端部に端面板を備えた内部ユニット内に光ファイバケーブルを導入し、このケーブルから光ファイバを引き出して相互に接続し、これを収納する構造を有している。
【０００３】
少なくとも両端部に端面板を備えた内部ユニットは、クロージャの外周をクロージャカバーで覆うことで風雨や障害物等から保護されている。クロージャカバーは、本体と２以上の係止具とで構成されており、クロージャカバーを開放して内部の光ファイバの接続作業等が行えるよう、開閉可能な構造になっている。より具体的には、上記の２以上の係止具を係止することで、クロージャの内部を密閉し、また、係止具を外すことで開放可能としている。尚、本明細書において、クロージャカバーの係止具により接合する対向する２つの辺を接合辺と呼び、対向する２つの接合辺を接合した部分を接合部と呼ぶ。
【０００４】
従来の架空用クロージャカバーに用いられる係止具は、図９に示すようなベロ状のフック２０２と略Ｌ字形状の係止片２０３とからなる係止具２００が広く用いられている。図９（ａ）は、係止具２００の側面図を示し。（ｂ）は下面図を示している。フック２０２と係止片２０３は、本体の接合辺２０１ａと２０１ｂとにそれぞれ係止可能に設置されている。
【０００５】
係止具２００は、ベロ状のフック２０２に設けられた挿通孔２０４に、係止片２０３を相通させることで係止させる構造となっている。係止片２０３が略Ｌ字形状に形成されているため、挿通孔２０４から係止片２０３が容易に抜けることはない。係止具２００を開放するためには、フック２０２を本体側とは逆向きに引き上げる必要があり、これにより係止片２０３が挿通孔２０４から引き抜かれて開放される。
【０００６】
上記のような係止具の別の例として、特許文献１で開示されている係止具９１０を図１０に示す。同図に示す係止具９１０は、係止凹凸が２ヶ所形成されている２重ロック構造となっている。接合辺９１１ａには２つの凹部を有するベロ状のフック９１２が設けられ、接合辺の他方９１１ｂには２つの凸部からなる係止片９１３がフック９１２と係止可能な位置に設けられている。
【０００７】
上記のようなフックと係止片とからなる係止具を接合部に複数配置する場合、図１１に示すように、同一構造の係止具を同じ並びで配置している。すなわち、図１１に示す従来のクロージャカバー９００では、係止具２００のフック２０２を一方の接合辺９０１ａに複数配置する一方、他方の接合辺９０１ｂにはフック２０２と係止可能な位置に係止片２０３を複数配置していた。このように、フック２０２を一方の接合辺９０１ａに並べることで、一方向から力を加えてフック２０２を持ち上げることができ、これにより係止片２０３を手早く挿通孔２０４から開放できるといった作業性に利点があった。
【特許文献１】公開平１０−１２６９４７号公報
【発明の開示】
【発明が解決しようとする課題】
【０００８】
しかしながら、従来のクロージャカバーでは、以下のような課題があった。フックが接合部の一方にのみ設けられていると、全てのフックが同じ方向の外力によって開放されてしまう可能性が高まる。例えば、ケーブル等が全てのフックに引っかかったまま持ち上げられると、全ての係止部が一斉に外れてクロージャカバーが開放されてしまう恐れがあった。特に、架設ポイントに設置される架空クロージャでは、周囲に別のケーブルが配置されていることが多く、たとえば、クロージャの近傍に新しく別のケーブルが敷設されるような場合に、新しく敷設されるケーブルが敷設作業で揺り動かされ、近傍にあるクロージャの係止具のフックに引っかかって開放してしまうなどの恐れがあった。
つまり、一方向に働く外力は一つの障害物等によって容易に加えられる恐れがあり、クロージャカバーが容易に開放されてしまうといった問題があった。
【０００９】
そこで、本発明はこれらの問題を解決するためになされたものであり、少なくとも一方向の外力によって開放されることのないクロージャカバーを提供することを目的とする。
【課題を解決するための手段】
【００１０】
本発明のクロージャカバーの第１の態様は、光ファイバケーブルを外部から導入するための導入孔を有する端面板を少なくとも備えた内部ユニットを覆い光ファイバケーブル用クロージャを構成するクロージャカバーにおいて、前記クロージャカバーは、本体と２以上の係止具とで構成されており、前記本体の対向する２つの接合辺を前記２以上の係止具で接合することで前記クロージャの内部を密閉し、前記２以上の係止具は、開放方式が異なる第１の係止具と第２の係止具とで構成されていることを特徴とする。
【００１１】
本発明のクロージャカバーの他の態様は、前記第１の係止具と前記第２の係止具は、同じ構造の係止具をそれぞれ別の対向する２つの接合辺に設けることを特徴とする。
【００１２】
本発明のクロージャカバーの他の態様は、前記第１の係止具と前記第２の係止具はともに、前記対向する２つの接合辺の一方に設置されたベロ状のフックと他方に立設された係止片とで構成され、前記第１の係止具として前記フックを前記本体側に押し下げることで前記フックが前記係止片に形成された挿通孔から開放可能となる下方開放型係止具を用い、前記第２の係止具として前記フックを前記本体側とは逆向きに引き上げることで前記係止片が前記フックに形成された挿通孔から開放可能となる上方開放型係止具を用いていることを特徴とする。
【００１３】
本発明のクロージャカバーの他の態様は、前記第１の係止具は、前記対向する２つの接合辺の一方に設置されたベロ状のフックと他方に立設された係止片とで構成され、前記第１の係止具として前記フックを前記本体側に押し下げることで前記フックが前記挿通孔から開放可能となる下方開放型係止具を用い、前記接合部の少なくとも両端部には、前記下方開放型係止具を用いていることを特徴とする。
【００１４】
本発明のクロージャカバーの他の態様は、前記本体が２以上あって前記本体の対向する２つの接合辺を前記２以上の係止具で接合する接合部が２箇所以上形成されており、前記本体の少なくとも一方は、前記光ファイバケーブルの導入方向と垂直な方向を前記本体の縦方向としたとき、縦方向に屈曲可能であることを特徴とする。
【発明の効果】
【００１５】
以上説明の通り本発明によれば、開放方式の異なる係止具を併せて用いることで、少なくとも一方向の外力が加わっただけでは開放されることのないクロージャカバーを提供することができる。
【発明を実施するための最良の形態】
【００１６】
本発明の好ましい実施の形態におけるクロージャカバーについて、図面を参照して詳細に説明する。なお、同一機能を有する各構成部については、図示及び説明簡略化のため、同一符号を付して示す。
【００１７】
図１は、本発明の第１の実施の形態に係るクロージャカバーを備えたクロージャを示す斜視図である。クロージャ１００は、両端の端面板１０１とクロージャカバー１１０とで内部を覆って保護する構造となっている。端面板１０１には、ケーブルを外部から導入するための導入孔１０２が設けられている。
【００１８】
光ファイバケーブルのクロージャへの導入方向と垂直な方向をクロージャカバー１１０の縦方向としたとき、クロージャカバー１１０の縦寸法は端面板１０１の外周を取り巻く長さとなっており、横寸法は、２つの端面板１０１間の距離とほぼ等しくなっている。カバー本体１１１は展開して平板状にした場合、略長方形の形状を有しており、端面板形状に合わせて形成されたヒンジ１１２で屈曲させて端面板１０１に密接させるとともに、接合辺１２０ａ、１２０ｂをカバー本体１１１上に設けられた係止具１２１及び１２２で接合することでクロージャ１００の内部を覆って保護することができる。
【００１９】
係止具１２１及び１２２は、ともにカバー本体１１１に設置されたベロ状のフックと本体１１１上に立設された係止片とで構成されている。両端に位置する係止具１２１は、フック１２１ａが一方の接合辺１２０ａに設置され、係止片１２１ｂが他方の接合辺１２０ｂに設置されている（第１の係止具）。これに対し中央に位置する２つの係止具１２２は、係止片１２２ｂが接合辺１２０ａに設置され、フック１２２ａが接合辺１２０ｂに設置されており（第２の係止具）、本実施形態では同じ構造の係止具１２１と係止具１２２がそれぞれ別の対向する２つの接合辺に設けられ、逆向きに設置されている。
【００２０】
上記のように、係止具１２１と係止具１２２とを逆向きに設置することで、それぞれを開放方式の異なる第１の係止具と第２の係止具としている。すなわち、係止具１２１では、接合辺１２０ｂ側からフック１２１ａを開放させるのに対し、係止具１２２では、接合辺１２０ａ側からフック１２２ａを開放させるようにしている。これにより、一方向から外力が加えられても、係止具１２１と係止具１２２とが同時に開放されてしまうことはない。
【００２１】
係止具１２１及び係止具１２２に適用可能な係止具の実施例を以下に説明する。まず、図９に示した従来の係止具２００を本実施形態の係止具１２１及び係止具１２２に適用することができる。係止具２００は、ベロ状のフック２０２に設けられた挿通孔２０４に係止片２０３を相通させることで係止させる構造となっており、係止片２０３の略Ｌ字形状の突起部２０３ａをフック２０２とは反対向きに設けていることから、挿通孔２０４から係止片２０３が容易に抜けることはない。
【００２２】
また、係止具２００を開放するためには、フック２０２の先端に設けられたつまみ２０２ａをカバー本体側とは逆向きに引き上げる必要があり、これにより係止片２０３が挿通孔２０４から引き抜かれて開放される。以下では、係止具２００のようにカバー本体側とは逆向きに引き上げることで開放する係止具を上方開放型係止具と呼ぶこととする。
【００２３】
係止具２００を本実施形態の係止具１２１及び係止具１２２に用いた場合、フック２０２のつまみ２０２ａの向きが係止具１２１と係止具１２２とで逆向きになることから、一方の外力が加えられても係止具１２１及び１２２が同時に開放されてしまう恐れはない。
【００２４】
図９に示した係止具２００と同様に、フックをカバー本体側とは逆向きに引き上げることで開放される係止具の別の実施例を図２に示す。図２（ａ）は、係止具２１０の側面図を示し、（ｂ）は下面図を示している。同図に示す係止具２１０は、係止具２００と異なり、フック２１２に挿通孔に代えて凹部２１４を穿設している。また、係止片２１３の形状を略Ｌ字形状でなく矩形（直方体）としている。係止片２１３が凹部２１４に嵌合されることで、フック２１２と係止片２１３とが係止されるように形成されている。
【００２５】
また、係止具２１０を開放する場合には、係止具２００と同様に、フック２１２の先端に設けられたつまみ２１２ａをカバー本体側とは逆向きに引き上げることで、係止片２１３が凹部２１４から引き抜かれて開放される。すなわち、係止具２１０は前述した上方開放型係止具である。
【００２６】
開放方式の異なる別の係止具の実施例を図３に示す。図３（ａ）は、係止具２２０の側面図を示し。（ｂ）は下面図を示している。同図に示す係止具２２０は、フック２２２の先端にカバー本体側とは逆向きに形成された突出部２２４を備えており、係止片２２３にはフック２２２を挿通させるための挿通孔２２５を備えている。フック２２２を挿通孔２２５に挿通することで係止されるよう形成されており、フック２２２が挿通孔２２５に挿通されると、突出部２２４が挿通孔２２５に係止されて容易に抜けないように構成されている。
【００２７】
係止具２２０を開放する場合には、係止具２００及び２１０とは異なって、フック２２２をカバー本体側に押し下げることで突出部２２４が挿通孔２２５からはずれ、フック２２２が挿通孔２２５から引き抜かれて開放される。以下では、係止具２２０のようにカバー本体側に押し下げることで開放する係止具を下方開放型係止具と呼ぶこととする。下方開放型の係止具は、上方開放型の係止具に比べて開放されにくくなっている。
【００２８】
上記では、係止具の実施例として図９に示した係止具２００、図２に示した係止具２１０、及び図３に示した係止具２２０の３種類について説明したが、第１の実施形態の係止具１２１及び１２２として、いずれの係止具を適用することも可能である。
【００２９】
本発明の第２の実施の形態に係るクロージャカバーを備えたクロージャを図４に示す。同図は、本実施形態のクロージャカバー３１０を備えたクロージャ３００の斜視図である。本実施形態のクロージャカバー３１０は、第１の係止具３２１として上方開放型係止具である係止具２００又は２１０を用い、第２の係止具３２２として下方開放型係止具である係止具２２０を用いている。
【００３０】
本実施形態では、係止具３２１及び３２２のそれぞれのフック３２１ａ、３２２ａがともに一方の接合辺１２０ａに設置され、それぞれの係止片３２１ｂ、３２２ｂがともに他方の接合辺１２０ｂに設置されている。すなわち、本実施形態では、一方向から係止具３２１及び３２２を開放するよう配列されている。
【００３１】
しかし、第１の係止具３２１を開放するためには、本体１１１側とは逆向きの力をフック３２１ａに加える必要があるのに対し、第２の係止具３２２を開放するためには、本体１１１側に向いた力をフック３２２ａに加える必要があり、第１の係止具３２１と第２の係止具３２２とでは、開放するために加える力の向きが逆となっている。逆方向の力が外部から同時に加えられることはほとんどないと考えられることから、本実施形態のクロージャカバー３１０でも、障害物等から外力が加えられても、係止具３２１、３２２の全てが同時に開放されてしまう恐れはほとんどなくなる。
尚、本実施形態では、両端部には上方開放型係止具を、中央部には下方開放型係止具を設置しているが、配列はこれに限定されない。
【００３２】
本発明の第３の実施の形態に係るクロージャカバーを備えたクロージャを図５に示す。同図は、本実施形態のクロージャカバー４１０を備えたクロージャ４００の斜視図である。本実施形態では、第２の実施形態と同様に、第１の係止具４２１として上方開放型係止具である係止具２００又は２１０を用い、第２の係止具４２２として下方開放型係止具である係止具２２０を用いている。
【００３３】
本実施形態ではさらに、第１の係止具４２１と第２の係止具４２２とをそれぞれ逆向きとなるように接合部１２０に設置している。すなわち、第１の係止具４２１のうち、一方は、フック４２１ａが一方の接合辺１２０ａに設置され、係止片４２１ｂが他方の接合辺１２０ｂに設置されており、他方は、係止片４２１ｂが一方の接合辺１２０ａに設置され、フック４２１ａが他方の接合辺１２０ｂに設置されている。
同様にして、第２の係止具４２２のうち、一方は、フック４２２ａが一方の接合辺１２０ａに設置され、係止片４２２ｂが他方の接合辺１２０ｂに設置されており、他方は、係止片４２２ｂが一方の接合辺１２０ａに設置され、フック４２２ａが他方の接合辺１２０ｂに設置されている。
【００３４】
上記のように構成された本実施形態のクロージャカバー４１０は、フック４２１ａと４２２ａのそれぞれ２つを逆方向から開放する必要があるのに加えて、フック４２１ａに加える力と４２２ａに加える力も、それぞれ逆方向となる。従って、障害物等から外力が加えられても、係止具４２１、４２２の全てが同時に開放されてしまう危険性をさらに低減することが可能となる。
尚、本実施形態ではひとつの接合辺において、フックと係止片は交互に設置されるようにしているが、配列はこれに限定されない。
【００３５】
本発明の第４の実施の形態に係るクロージャカバーを備えたクロージャを図６に示す。同図は、本実施形態のクロージャカバー５１０を備えたクロージャ５００の斜視図である。本実施形態のクロージャカバー５１０では、接合部１２０の両端の第１の係止具５２１に下方開放型係止具である係止具２２０を用いている。
【００３６】
一般に、１つの接合部を複数の係止具で接合する場合、いずれか一方の端部の係止具が開放されると、それを起点に次々と係止具が開放され易くなってしまう。そこで、本実施形態では、接合部１２０の両端に設置された第１の係止具５２１に、開放され難い下方開放型係止具２２０を用いるようにしている。
【００３７】
これにより、接合部１２０が開放され難いようにすることができる。接合部１２０の両端以外の第２の係止具５２２としては、上方開放型係止具と下方開放型係止具のいずれを用いるようにしてもよいが、作業性の観点から上方開放型係止具を用いることが好ましい。
【００３８】
本発明の第５の実施の形態に係るクロージャカバーを備えたクロージャを図７に示す。同図は、本実施形態のクロージャカバー６１０を備えたクロージャ６００の斜視図である。本実施形態は、クロージャ６００の両端に端面板１０１がそれぞれ２つずつ配置された拡張クロージャに係るものである。両端の端面板１０１がそれぞれ２つずつ配置されたことにより、クロージャカバー６１０としても６１０ａと６１０ｂの２つを組み合わせて用いている。
【００３９】
クロージャカバー６１０ａは、展開して平板状にした場合、略長方形の形状を有しており、端面板形状に合わせて形成されたヒンジ６１２で屈曲させて端面板１０１に密接させるとともに、クロージャカバー６１０ｂを係止具６２１と６２２及び係止具６３１と６３２で接合することでクロージャ６００の内部を覆って保護している。
また、クロージャカバー６１０ａは、図８に示すように単体で両端にそれぞれ１つの端面板１０１を有するクロージャのクロージャカバーとして使用できるものである。
【００４０】
このように、２つのクロージャカバー６１０ａと６１０ｂとを組み合わせた場合には、接合部が６２０と６３０の２箇所でき、それぞれを係止具で係止して接合させる必要がある。特に、本実施形態例のようにヒンジ６１２で屈曲させて端面板１０１に密接させる構造のクロージャカバーを係止する場合は、２ヶ所の接合部をほぼ同時に接合することが困難なため、クロージャ６００を密閉するに当たり、まず２つの接合部６２０、６３０のうち、一方（例えば接合部６２０）を係止具で係止して接合させ、その後もう一方（例えば接合部６３０）を係止具で係止する方法となる。このような場合、最初に係止した接合部が、後に係止する接合部を係止しようとした場合に外れやすい問題がある。
したがって、接合部６２０、６３０のうち、少なくともいずれか一方は、より強固に接続させておくのが好ましい。
【００４１】
図７に示す実施形態では、２つの接合部６２０と６３０の両方に、下方開放型係止具２２０と上方開放型係止具２００又は２１０とを組み合わせて用いている。接合部６２０及び６３０に対し、第４の実施形態と同様に、各接合部の両端の第１の係止具６２１、６３１には下方開放型係止具２２０を用い、それ以外の位置の第２の係止具６２２，６３２には上方開放型係止具２００又は２１０を用いるようにしている。また、係止具６２１と６２２、及び係止具６３１と６３２のそれぞれにおいて、設置方向を逆向きにすることでさらに開放されにくくしている。
【００４２】
通常、作業者に最も近く作業しやすい位置にある接合部を開放しやすくしておくのが好ましい。そこで、作業時に開放しない接合部については、開放され難い下方開放型係止具を用いるのがよい。また、係止具だけでは一方向の外力で開放されてしまう恐れがあるため、さらに上方開放型係止具を組み合わせて用いるのがよい。
従って、本実施形態のように両端に下方開放型係止具を用い、中央部は上方開放型係止具を用い、さらには両端と中央部の係止具で設置方向を逆向きにする方法は、開放され難く、かつ、作業性の観点からも好ましい方法である。
【００４３】
なお、上記説明のように、接合部６２０と６３０のいずれか一方を、作業時により開放しやすくしたい場合には、たとえば第１の実施形態と同様に、上方開放型係止具２００又は２１０だけを逆方向に設置するのがよい。
【００４４】
クロージャカバーが１つで接合部がクロージャの角部に位置する実施形態を図８に示す。同図に示す第６の実施形態では、クロージャカバー７１０の接合部７２０が、クロージャ７００の角部に位置している。このように、接合部７２０がクロージャ７００の角部に位置する場合でも、接合部７２０の両端部の第１の係止具７２１に下方開放型係止具２２０を用い、それ以外の位置の第２の係止具７２２には上方開放型係止具２００又は２１０を用いることで、接合部７２０をより強固に接合することが可能となる。  
【００４５】
なお、本実施の形態における記述は、本発明に係るクロージャカバーの一例を示すものであり、これに限定されるものではない。本実施の形態におけるクロージャカバーの細部構成及び詳細な動作等に関しては、本発明の趣旨を逸脱しない範囲で適宜変更可能である。
【図面の簡単な説明】
【００４６】
【図１】本発明の第１の実施の形態に係るクロージャカバーを備えたクロージャを示す斜視図である。
【図２】上方開放型係止具の別の実施例を示す図である。
【図３】下方開放型係止具の実施例を示す図である。
【図４】本発明の第２の実施の形態に係るクロージャカバーを備えたクロージャを示す斜視図である。
【図５】本発明の第３の実施の形態に係るクロージャカバーを備えたクロージャを示す斜視図である。
【図６】本発明の第４の実施の形態に係るクロージャカバーを備えたクロージャを示す斜視図である。
【図７】本発明の第５の実施の形態に係るクロージャカバーを備えたクロージャを示す斜視図である。
【図８】本発明の第６の実施の形態に係るクロージャカバーを備えたクロージャを示す斜視図である。
【図９】従来の上方開放型係止具を示す図である。
【図１０】従来の別の上方開放型係止具を示す図である。
【図１１】従来のクロージャカバーを備えたクロージャを示す斜視図である。
【符号の説明】
【００４７】
１００、３００、４００、５００，６００，７００    クロージャ１０１    端面板
１０２    導入孔
１１０、３１０、４１０、５１０、６１０、６１０ａ、６１０ｂ、７１０    クロージャカバー
１１１    カバー本体
１１２、６１２  ヒンジ
１２０、６２０、６３０、７２０    接合部
１２１、３２１、４２１、５２１、６２１、６３１、７２１    第１の係止具
１２１ａ、１２２ａ、３２１ａ、３２２ａ、４２１ａ、４２２ａ    フック
１２１ｂ、１２２ｂ、３２１ｂ、３２２ｂ、４２１ｂ、４２２ｂ    係止片
１２２、３２２、４２２、５２２、６２２，６３２、７２２    第２の係止具
２００、２１０、２２０    係止具
２０１    接合部
２０２、２１２、２２２    フック
２０３、２１３、２２３    係止片
２０４、２２５    挿通孔
２１４    凹部
２２４    突出部
９００    クロージャカバー
９１０    係止具
９０１、９１１    接合部
９１２    フック
９１３    係止片
【図１】
2008185632.tif 000003
【図２】
2008185632.tif 000004
【図３】
2008185632.tif 000005
【図４】
2008185632.tif 000006
【図５】
2008185632.tif 000007
【図６】
2008185632.tif 000008
【図７】
2008185632.tif 000009
【図８】
2008185632.tif 000010
【図９】
2008185632.tif 000011
【図１０】
2008185632.tif 000012
【図１１】
2008185632.tif 000013